(57)【要約】【課題】  排水ドレンへの固定部の挿入を円滑に行うことができ、かつ固定部の下端部による排水ドレンの損傷を防止することができるストレーナキャップを提供する。【解決手段】  ストレーナキャップ１には、排水ドレン１０１の内部に位置する固定部１３が設けられている。固定部１３は、ＳＵＳ帯などの弾性部材からなり、側面視でリング状をなしている。排水ドレン１０１にストレーナキャップ１を設置する場合、排水ドレン１０１の内周面に固定部１３の下端部を弾性的に当接させた状態で、排水ドレン１０１の内部に固定部を挿入したとき、その下端部は曲面状をなしているので、排水ドレン１０１の内周面に円滑に摺接する。また、ストレーナキャップ１の設置後、固定部１３の下端部が排水ドレン１０１の内周面へ食い込むことがない。【選択図】        図１
0003109990.tif 000002
【実用新案登録請求の範囲】
【請求項１】
排出孔の上端部に取り付けられるキャップ本体に、前記排水孔に雨水を排出するための雨水孔と、前記排出孔側に延在する支持部とを設け、
前記支持部の下端部に、前記排水孔の内部に位置する固定部を設け、
前記固定部は、弾性部材からなるとともに、その側面部が前記排水孔の内周面に弾性的に当接して固定され、かつその下端部が曲面状をなしていることを特徴とするストレーナキャップ。
【請求項２】
前記固定部は、側面視でリング状をなしていることを特徴とする請求項１に記載のストレーナキャップ。  
【請求項３】
前記固定部は、側面視で各角部が曲面状に形成された略多角形状をなしていることを特徴とする請求項１に記載のストレーナキャップ。  
【請求項４】
前記固定部は、前記排出孔の内周面に沿って延在し、その下端部が外側に湾曲した湾曲部を有し、
前記湾曲部の側面部は、前記排水孔の内周面に弾性的に当接して固定されていることを特徴とする請求項１に記載のストレーナキャップ。
【請求項５】
前記固定部は、下側が排水孔側に開放された略Ｃ字状をなし、その下端部が内側に湾曲した湾曲部を有することを特徴とする請求項１に記載のストレーナキャップ。
【請求項６】
前記固定部は、略逆Ｕ字状をなし、その下端部が内側に湾曲した湾曲部を有することを特徴とする請求項１に記載のストレーナキャップ。
【請求項７】
前記排水孔の内周面に弾性的に当接する前記固定部の側面部には、すべり防止部が形成されていることを特徴とする請求項１〜６のいずれかに記載のストレーナキャップ。
【請求項８】
前記すべり防止部は、前記固定部の側面部に波状に形成された波板部であることを特徴とする請求項７に記載のストレーナキャップ。
【請求項９】
前記すべり防止部は、前記固定部の側面部に形成され、表面が曲面状をなす突起部であることを特徴とする請求項７に記載のストレーナキャップ。
【考案の詳細な説明】
【技術分野】
【０００１】
本考案は、建物の排水孔の上端部に設置されるストレーナキャップに係り、特にストレーナキャップの固定技術の改良に関する。
【背景技術】
【０００２】
ビルなどの建物の屋上や各階のベランダの排水孔の上端部には、雨水を排出するための排水ドレンが設置されている。排水ドレンには、その開口部から雨水とともに枯葉やゴミなどの異物が浸入するのを防止するためのストレーナキャップが固定されている。
【０００３】
このようなストレーナキャップとして、図９に示すように、排水ドレン１０１への設置を簡単に行うことができるストレーナキャップ２００が提案されている（たとえば特許文献１）。図９は、ストレーナキャップ２００の排水ドレン１０１への設置状態を示す側断面図である。ストレーナキャップ２００は、略ドーム型をなすキャップ本体２１０を有し、キャップ本体２１０には、雨水を排出するための複数の雨水孔２１０Ａが円周方向に等間隔に形成されている。キャップ本体２１０の下端部にはフランジ部２１１が形成され、キャップ本体２１０の中央部には排水孔１００Ｂの側に延在する支持部２１２が形成されている。
【０００４】
支持部２１２の下端部には、キャップ本体２１０を排水ドレン１０１に固定するための固定部２１３が支持されている。固定部２１３は、２枚の板バネを十字状に重ね合わせたもので、雌ネジ２１２Ａに螺合しているビス２１４によって支持部２１２に固定されている。このような固定部２１３の側面部は、排水ドレン１０１の内周面に弾性的に当接して固定されている。
【０００５】
【特許文献１】特許第３０５０７８５号
【０００６】
上記のストレーナキャップ２００の排水ドレン１０１への設置は次のように行われる。すなわち、固定部２１３を下側に撓ませて排水ドレン１０１の内部に挿入し、その内周面に弾性的に当接させた状態で、フランジ部２１１が排水ドレン１０１の上端部に到達するまで固定部２１３を排水ドレン１０１の内部に挿入する。ここで、固定部２１３の側面部は、排水ドレン１０１の内周面に弾性的に当接して固定されているので、ストレーナキャップ２００を排水ドレン１０１に固定することができる。
【考案の開示】
【考案が解決しようとする課題】
【０００７】
しかしながら、上記のストレーナキャップ２００では、略逆Ｕ字状の固定部２１３の下端部に略直角をなす角部が形成されているため、上記のように固定部２１３の下端部を排水ドレン１０１の内周面に弾性的に当接させた状態で、排水ドレン１０１の内部に固定部２１３を挿入すると、その下端部の角部が排水ドレン１０１の内周面に引っ掛かりやすい。このため、固定部２１３の挿入を円滑に行うことができなく、その結果、排水ドレン１０１の内周面に損傷が生じる虞があった。また、ストレーナキャップ２００の設置後、固定部２１３の下端部が排水ドレン１０１の内周面に弾性的に当接した状態が保持されているため、時間が経つにつれて、その下端部が排水ドレン１０１の内周面に食い込み、損傷が生じる虞があった。特に、排水ドレン１０１として、施工性や耐久性が優れた鉛材料からなる鉛ドレンを用いた場合、上記のようにその内周面に損傷が生じたとき、そこから雨水による鉛の溶出が発生する虞があった。
【０００８】
したがって、本考案は、排水ドレンへの固定部の挿入を円滑に行うことができ、かつ固定部の下端部による排水ドレンの損傷を防止することができるストレーナキャップを提供することを目的としている。
【課題を解決するための手段】
【０００９】
本考案のストレーナキャップは、排出孔の上端部に取り付けられるキャップ本体に、排水孔に雨水を排出するための雨水孔と、排出孔側に延在する支持部とを設け、支持部の下端部に、排水孔の内部に位置する固定部を設け、固定部は、弾性部材からなるとともに、その側面部が排水孔の内周面に弾性的に当接して固定され、かつその下端部が曲面状をなしていることを特徴としている。
【００１０】
本考案のストレーナキャップでは、排水孔の上端部に設けられた排水ドレンの内周面に、固定部の下端部を弾性的に当接させた状態で、排水ドレンの内部に固定部を挿入したとき、固定部の下端部が曲面状をなしているので、その下端部が排水ドレンの内周面と円滑に摺接する。したがって、排水ドレンの内周面の損傷を防止することができる。また、ストレーナキャップの設置後、固定部の下端部が排水ドレンの内周面に食い込むことがないので、損傷を防止することができる。さらに、排水ドレンとして、鉛ドレンを用いた場合でも、上記のようにその内周面の損傷を防止することができるので、そこからの雨水による鉛の溶出を防止することができる。
【００１１】
上記の固定部として種々の構成を用いることができる。たとえば、固定部は、側面視でリング状にすることができる。このような態様では、ストレーナキャップの設置状態において、リング状をなす固定部の側面部が排水ドレンの内周面に沿って弾性的に変形し、そこに面接触するので、ストレーナキャップをより安定して固定することができる。また、リング状をなす固定部の下端部を排水孔の断面中央部に位置させることにより、固定部を通じて雨水を排水孔の断面中央部に導くことができるので、排水性を高めることができる。
【００１２】
また、固定部は、側面視で各角部が曲面状に形成された略多角形状にすることができる。このような態様では、略多角形状をなす固定部の角部を排水孔の断面中央部に位置させることにより、固定部を通じて雨水を排水孔の断面中央部に導くことができるので、排水性を高めることができる。
【００１３】
さらに、固定部は、排出孔の内周面に沿って延在し、その下端部が外側に湾曲した湾曲部を備えることができる。このような態様では、ストレーナキャップの設置状態において、湾曲部の側面部が排水ドレンの内周面に沿って弾性的に変形し、そこに面接触するので、ストレーナキャップをより安定して固定することができる。
【００１４】
加えて、固定部は、下側が排水孔側に開放された略Ｃ字状をなし、その下端部が内側に湾曲した湾曲部を備えることができる。このような態様では、ストレーナキャップの設置状態において、固定部の側面部が排水ドレンの内周面に沿って弾性的に変形し、そこに面接触するので、ストレーナキャップをより安定して固定することができる。また、略Ｃ字状をなす固定部の下端部を排水孔の断面の略中央部に位置させることにより、固定部を通じて雨水を排水孔の断面の略中央部に導くことができるので、排水性を高めることができる。
【００１５】
また、固定部は、略逆Ｕ字状をなし、その下端部が内側に湾曲した湾曲部を備えることができる。このような態様では、ストレーナキャップの設置状態において、固定部の側面部が排水ドレンの内周面に沿って弾性的に変形し、そこに面接触するので、ストレーナキャップをより安定して固定することができる。
【００１６】
上記のように排水孔の内周面に当接する固定部の側面部には、すべり防止部を形成することができる。すべり防止部としては、固定部の側面部に波状に形成された波板部や、表面が曲面状をなす突起部がある。このような態様では、ストレーナキャップをより安定して固定することができる。
【００１７】
また、上記の支持部として種々の構成を用いることができる。たとえば、支持部の下端を、キャップ本体の下端より下側に位置させることができる。このような態様では、固定部の上端はキャップ本体の下端より下側に位置するので、ストレーナキャップの取付けの際、キャップ本体の下端が邪魔になることなく、固定部の上端部の内側への絞り具合の調整を適宜行うことができ、これにより固定部の挿入を容易に行うことができる。また、設置状態において、固定部の側面部のより上方の部分も排水ドレンの内周面に弾性的に当接させることができるので、ストレーナキャップをより安定して固定することができる。
【考案を実施するための最良の形態】
【００１８】
（１）実施形態の構成
以下、本考案の一実施形態について図面を参照して説明する。図１は、本考案の一実施形態に係るストレーナキャップの排水ドレンへの設置状態を示す側断面図である。図２は、図１のストレーナキャップの上面図である。なお、図１のストレーナキャップの側断面図は、図２のI−II線の側断面図である。
【００１９】
ストレーナキャップ１は、枯葉やゴミなどの異物の排水ドレン１０１への浸入防止のために、その上端部に取り付けられる。ストレーナキャップ１は、略ドーム型をなすキャップ本体１０を備えている。キャップ本体１０には、雨水を排水孔１００Ｂに排出するための複数の雨水孔１０Ａが円周方向に等間隔に形成されている。
【００２０】
キャップ本体１０の下縁部には、略円盤状をなすフランジ部１１が形成されている。キャップ本体１０の中央部には、排水孔１００Ｂの側に延在する円柱状の支持部１２が形成されている。支持部１２の下端部には、雌ネジ１２Ａが形成されている。
【００２１】
支持部１２の下端部には、キャップ本体１０を排水ドレン１０１の上端部に固定するための固定部１３，１３が直交するように支持されている。固定部１３は、ＳＵＳ帯などの弾性部材からなり、側面視でリング状をなしている。固定部１３の下端部の間隔は、設置前において、排水ドレン１０１の内径よりも僅かに大きく設定されている。固定部１３は、設置状態において、固定部１３の側面部が排水ドレン１０１の内周面に弾性的に当接している。この場合、固定部１３の側面部が排水ドレン１０１の内周面に沿って弾性的に変形し、そこに面接触して固定されている。固定部１３は、雌ネジ１２Ａに螺合しているビス１４によって支持部１２に固定されている。支持部１２の下端は、キャップ本体１０の下端より下側（たとえば１．５〜４．５ｃｍ程度下側）に位置している。
【００２２】
（２）実施形態の設置方法
上記のストレーナキャップ１は、図１に示すような排水ドレン１０１の上端部に取り付けられる。排水ドレン１０１は、開口１０１Ａを有する円筒形状をなす本体部を有し、本体部の上縁部にフランジ部が形成されている。排水ドレン１０１は、ビルなどの建物の屋上や各階のベランダの床１００の排水溝１００Ａに形成された排水孔１００Ｂの上端部に固定されている。
【００２３】
このような排水ドレン１０１へのストレーナキャップ１の設置は次のように行われる。すなわち、固定部１３の下端部を排水ドレン１０１の内周面に弾性的に当接させた状態で、フランジ部１１が排水ドレン１０１の上端部に到達するまで固定部１３を排水ドレン１０１の内部に挿入する。ここで、固定部１３の側面部は、排水ドレン１０１の内周面に沿って弾性的に変形し、そこに面接触して固定されている。これにより、ストレーナキャップ１を排水ドレン１０１に固定することができる。
【００２４】
上記態様では、排水溝１００Ａ内の雨水が雨水孔１０Ａを通じて排水ドレン１０１の開口部１０１Ａに流入し、排出孔１００Ｂに排出される。この場合、排水ドレン１０１に設置されたストレーナキャップ１によって、排水ドレン１０１の開口部１０１Ａから雨水とともに枯葉やゴミなどの異物が排水ドレン１０１の開口部１０１Ａに浸入するのを防止することができる。
【００２５】
上記実施形態のストレーナキャップ１では、排水孔１００Ｂの上端部に設けられた排水ドレン１０１の内周面に、固定部１３の下端部を弾性的に当接させた状態で、排水ドレン１０１の内部に固定部１３を挿入したとき、固定部１３の下端部が曲面状をなしているので、その下端部が排水ドレン１０１の内周面と円滑に摺接する。したがって、排水ドレン１０１の内周面の損傷を防止することができる。また、ストレーナキャップ１の設置後、固定部１３の下端部が排水ドレン１０１の内周面に食い込むことがないので、損傷を防止することができる。さらに、排水ドレン１０１として、鉛ドレンを用いた場合でも、上記のようにその内周面の損傷を防止することができるので、そこからの雨水による鉛の溶出を防止することができる。
【００２６】
特に、ストレーナキャップ１の設置状態において、リング状をなす固定部１３の側面部が排水ドレン１０１の内周面に沿って変形し、そこに面接触するので、ストレーナキャップ１をより安定して固定することができる。また、リング状をなす固定部１３の下端部を排水孔１００Ｂの断面中央部に位置させることにより、固定部１３を通じて雨水を排水孔１００Ｂの断面中央部に導くことができるので、排水性を高めることができる。
【００２７】
また、固定部１３の上端部はキャップ本体１０の下端より下側に位置するので、ストレーナキャップ１の取付けの際、キャップ本体１０の下端が邪魔になることなく、固定部１３の上端部の内側への絞り具合の調整を適宜行うことができ、これにより固定部１３の挿入を容易に行うことができる。また、設置状態において固定部１３の側面部のより上方の部分も排水ドレン１０１の内周面に当接させることができるので、ストレーナキャップ１をより安定して固定することができる。
【００２８】
（３）変形例
以上、実施形態を挙げて本考案を説明したが、本考案は上記実施形態に限定されるものではなく、種々の変形が可能である。たとえば、上記実施形態では、固定部１３をリング状にしたが、これに限定されるものではなく、設置状態において側面部が排水ドレン１０１の内周面に弾性的に当接し、その下端部が曲面状をなしているものであればよい。なお、図３〜図８は、図１と同様な側断面図であり、上記実施形態と同等の構成要素には同じ符号を付し、その構成および作用の説明は省略する。
【００２９】
たとえば、図１に示すストレーナキャップ１の固定部１３の代わりに、図３に示すストレーナキャップ２の固定部２１のように、側面視で各角部が曲面状に形成された略多角形状（たとえば略菱形状）にすることができる。このような態様では、固定部２１の下端部を排水孔１００Ｂの断面中央部に位置させることにより、固定部２１を通じて雨水を排水孔１００Ｂの断面中央部に導くことができるので、排水性を高めることができる。
【００３０】
また、図４に示すストレーナキャップ３の固定部２２のように排出孔１００Ｂの内周面に沿って延在し、その下端部が外側に湾曲した湾曲部２２Ａを備えることができる。このような態様では、ストレーナキャップ３の設置状態において、固定部２２の湾曲部２２Ａの側面部が排水ドレン１０１の内周面に沿って弾性的に変形し、そこに面接触するので、ストレーナキャップ３をより安定して固定することができる。
【００３１】
さらに、図５に示すストレーナキャップ４の固定部２３のように、下側が排水孔１００Ｂの側に開放された略Ｃ字状にすることができる。この場合、固定部２３の下端部が内側に湾曲した湾曲部２３Ａを備えることができる。このような態様では、ストレーナキャップ４の設置状態において、固定部２３の側面部が排水ドレン１０１の内周面に沿って弾性的に変形し、そこに面接触するので、ストレーナキャップ４をより安定して固定することができる。また、固定部２３の下端部を排水孔１００Ｂの断面の略中央部に位置させることにより、固定部２３を通じて雨水を排水孔１００Ｂの断面の略中央部に導くことができるので、排水性を高めることができる。
【００３２】
加えて、図６に示すストレーナキャップ５の固定部２４のように、略逆Ｕ字状をなし、その下端部が内側に湾曲した湾曲部２４Ａを備えることができる。このような態様では、ストレーナキャップ５の設置状態において、固定部２４の側面部が排水ドレン１０１の内周面に沿って弾性的に変形し、そこに面接触するので、ストレーナキャップ５をより安定して固定することができる。
【００３３】
また、図７に示すストレーナキャップ６の固定部２５のように、略逆Ｕ字状をなし、その下端部が内側に湾曲した湾曲部２５Ａを備えることができる。また、固定部２５は、すべり防止部として、側面部に波状に加工された波板部２５Ｂを有することができる。このような態様では、固定部２５はすべり防止部として側面部に波板部２５Ｂを有することができるので、ストレーナキャップ６の設置状態において固定部２５をより安定して固定することができる。
【００３４】
さらに、図８に示すストレーナキャップ７の固定部２６のように、略逆Ｕ字状をなし、その下端部が内側に湾曲した湾曲部２６Ａを備えることができる。また、固定部２６は、すべり防止部として、側面部に表面が曲面状をなす突起部２６Ｂを有することができる。このような態様では、固定部２６はすべり防止部として側面部に突起部２６Ｂを有することができるので、ストレーナキャップ７の設置状態において固定部２６をより安定して固定することができる。
【００３５】
さらに、上記実施形態では、固定部１３を２つ設ける場合について説明したが、固定部１３の数はこれに限定されるものではなく、たとえば１つでもよい。キャップ本体１０や雨水孔１０Ａ、フランジ部１１、支持部１２の形状は上記実施形態のものに限定されるものではなく、種々の変形が可能であるのは言うまでもない。
【図面の簡単な説明】
【００３６】
【図１】本考案の一実施形態に係るストレーナキャップの排水ドレンへの設置状態を示す側断面図である。
【図２】図２は、図１のストレーナキャップの上面図である。
【図３】本考案の一実施形態に係るストレーナキャップの変形例の排水ドレンへの設置状態を示す側断面図である。
【図４】本考案の一実施形態に係るストレーナキャップの他の変形例の排水ドレンへの設置状態を示す側断面図である。
【図５】本考案の一実施形態に係るストレーナキャップの他の変形例の排水ドレンへの設置状態を示す側断面図である。
【図６】本考案の一実施形態に係るストレーナキャップの他の変形例の排水ドレンへの設置状態を示す側断面図である。
【図７】本考案の一実施形態に係るストレーナキャップの他の変形例の排水ドレンへの設置状態を示す側断面図である。
【図８】本考案の一実施形態に係るストレーナキャップの他の変形例の排水ドレンへの設置状態を示す側断面図である。
【図９】ストレーナキャップの従来例の排水ドレンへの設置状態を示す側断面図である。
【符号の説明】
【００３７】
１〜７…ストレーナキャップ、１０…キャップ本体、１０Ａ…雨水孔、１２…支持部、１３，２１〜２６…固定部、２２Ａ〜２６Ａ…湾曲部、２５Ｂ…波板部（すべり防止部）、２６Ｂ…突起部（すべり防止部）、１００Ｂ…排水孔
【図１】
0003109990.tif 000003
【図２】
0003109990.tif 000004
【図３】
0003109990.tif 000005
【図４】
0003109990.tif 000006
【図５】
0003109990.tif 000007
【図６】
0003109990.tif 000008
【図７】
0003109990.tif 000009
【図８】
0003109990.tif 000010
【図９】
0003109990.tif 000011